(57)【要約】【課題】効率よく且つ漏れなく所望の動画を選択し得る視聴動画検索システムを提供する。【解決手段】動画データを受信するＳＴＢ３０と、記憶手段に蓄積された動画データのうちＳＴＢ３０から要求された動画データをＳＴＢ３０に配信する動画配信サーバ１０と、動画データに関する情報である動画情報が記憶された動画データベース２０と、動画情報を検索するための検索条件が入力される予約設定端末４０と、動画情報のうち予約設定端末４０から受信した検索条件に該当するものを予約動画情報として保持する視聴予約サーバ２１とを具備し、ＳＴＢ３０は、視聴予約サーバ２１から受信した予約動画情報を表示手段に表示させると共に当該表示手段に表示された予約動画情報のうちＳＴＢ３０の入力手段を介して選択されたものに対応する動画データを動画配信サーバに要求する。【選択図】図１
2010045669.tif 000002
【特許請求の範囲】
【請求項１】
動画データを受信する受信装置と、
記憶手段に蓄積された動画データのうち前記受信装置から要求された動画データを当該受信装置に配信する動画配信サーバと、
前記動画データに関する情報である動画情報が記憶された動画データベースと、
前記動画情報を検索するための検索条件が入力される予約設定端末と、
前記動画情報のうち前記予約設定端末から受信した検索条件に該当するものを予約動画情報として保持する視聴予約サーバとを具備し、
前記受信装置は、前記視聴予約サーバから受信した予約動画情報を表示手段に表示させると共に当該表示手段に表示された予約動画情報のうち前記受信装置の入力手段を介して選択されたものに対応する動画データを前記動画配信サーバに要求する
ことを特徴とする視聴動画検索システム。
【請求項２】
請求項１に記載する視聴動画検索システムにおいて、
前記視聴予約サーバは、前記予約動画情報のうち前記予約設定端末から指定されたものを保持する
ことを特徴とする視聴動画検索システム。
【請求項３】
請求項１又は請求項２に記載する視聴動画検索システムにおいて、
前記動画配信サーバの動画データを閲覧することが許可された利用者に関する利用者情報が記憶された利用者情報データベースを具備し、
前記視聴予約サーバは、前記利用者情報ごとに前記予約動画情報を保持する
ことを特徴とする視聴動画検索システム。
【発明の詳細な説明】
【技術分野】
【０００１】
本発明は視聴動画検索システムに関し、特に、インターネットを介してビデオオンデマンドを提供する場合に適用して有用なものである。
【背景技術】
【０００２】
従来、利用者が、種々の映画やドラマから観たいものを選んで視聴し得るサービス（ビデオ・オン・デマンド）が提供されている。このようなサービスを提供するものとして、映画やドラマ等を符号化した動画データが蓄積された記憶装置と、動画データを配信する動画配信サーバと、動画データを受信してテレビ等に表示するＳＴＢ（セットトップボックス）等の受信装置とを備えたビデオ配信システムがある（例えば、特許文献１参照）。
【０００３】
このようなビデオ配信システムでは、ＳＴＢは、視聴可能な動画に関する情報、例えば動画のタイトル、あらすじ、出演者などを動画配信サーバから通信手段を介して取得してテレビ画面に表示する。利用者は、テレビ画面に表示された動画のタイトル等から視聴したいものをリモコン操作で選択し、ＳＴＢは、その選択された動画を動画配信サーバに要求して当該動画をテレビ画面に表示する。
【０００４】
一般にビデオオンデマンドでは、多数の動画が視聴し得るようになっているので、利用者が所望の動画を速やかに選択できるように種々の工夫がなされている。例えば、動画の内容に応じて動画を予め分類しておき、その分類名を選択することで所望の動画にたどり着き易くしたものがある。これによれば、テレビ画面上に表示された分類名の一例である「洋画、邦画」のうち、利用者が「洋画」を選択すると、次に洋画に関する動画の一覧が表示されるため、洋画に関する動画を選択し易くなる。
【０００５】
しかしながら、上記の動画の選択に係る操作はリモコンで行われるため、所望の動画を選択するための方法はリモコンの機能に制約されてしまう。例えば、画面に表示された選択肢を選択するための選択ボタンを備えるリモコンを用いる場合、選択ボタンを適宜操作して上記のような分類名を選択して所望の動画にたどり着く、という動画の選択方法を採らざるを得なくなる。
【０００６】
このように動画の選択方法が固定的になってしまうと、例えば、所望の動画のタイトルが予め分かっているような場合に、効率よく動画を選択することができない。そのような場合はタイトルを含む動画を検索し、その結果から所望の動画を選択する方が効率的だからである。他にも、動画によっては数多くの分類を総当り的に精査しなければならず、場合によっては所望の動画を探し当てることができないという検索漏れも生じる。
【０００７】
なお、タイトルなどから動画を検索させる場合には、リモコンに文字入力機能が必要となるが、一般的なリモコンに文字入力機能は未搭載であることが多く、また搭載されていたとしても、小さな形状のリモコンに配設されたボタンを操作して文字入力することは煩わしく、結果的に動画を容易に選択できるようにはならない。
【０００８】
このように、従来技術に係るビデオ配信システムでは、動画の分類の他にタイトルや出演者など様々な観点があるにもかかわらず、リモコンの機能の制約上、これらの観点に柔軟に対応して効率よく且つ漏れなく動画を選択することができないという問題がある。
【０００９】
【特許文献１】特開２００６−１３５８１１号公報
【発明の開示】
【発明が解決しようとする課題】
【００１０】
本発明は、かかる事情に鑑み、効率よく且つ漏れなく所望の動画を選択し得る視聴動画検索システムを提供することを目的とする。
【課題を解決するための手段】
【００１１】
上記目的を達成するための本発明の第１の態様は、動画データを受信する受信装置と、記憶手段に蓄積された動画データのうち前記受信装置から要求された動画データを当該受信装置に配信する動画配信サーバと、前記動画データに関する情報である動画情報が記憶された動画データベースと、前記動画情報を検索するための検索条件が入力される予約設定端末と、前記動画情報のうち前記予約設定端末から受信した検索条件に該当するものを予約動画情報として保持する視聴予約サーバとを具備し、前記受信装置は、前記視聴予約サーバから受信した予約動画情報を表示手段に表示させると共に当該表示手段に表示された予約動画情報のうち前記受信装置の入力手段を介して選択されたものに対応する動画データを前記動画配信サーバに要求することを特徴とする視聴動画検索システムにある。
【００１２】
かかる第１の態様では、予約設定端末及び視聴予約サーバ（情報通信機器）に、検索条件の入力及び予約動画情報の保持を行わせ、受信装置ではその予約動画情報の結果を利用する。すなわち、検索機能とその結果を利用する機能を担う機器を分けた。これにより、受信装置よりも性能的な制約のない視聴予約サーバ及び予約設定端末に、種々の観点から動画を検索するための検索機能を柔軟に実装することができるから、利用者が視聴しようとする動画を漏れなく検索できる。一方、受信装置は、その検索結果である予約動画情報を適宜選択するだけであるので、簡易な機能のリモコン等であっても、利用者が視聴したい動画を速やかに選択して閲覧することができる。
【００１３】
本発明の第２の態様は、第１の態様に記載する視聴動画検索システムにおいて、前記視聴予約サーバは、前記予約動画情報のうち前記予約設定端末から指定されたものを保持することを特徴とする視聴動画検索システムにある。
【００１４】
かかる第２の態様では、利用者は、検索条件に該当した動画情報を、更に絞り込んで予約動画情報とすることができる。これにより、検索条件に該当した動画から真に閲覧したい動画のみを閲覧することができる。
【００１５】
本発明の第３の態様は、第１又は第２の態様に記載する視聴動画検索システムにおいて、前記動画配信サーバの動画データを閲覧することが許可された利用者に関する利用者情報が記憶された利用者情報データベースを具備し、前記視聴予約サーバは、前記利用者情報ごとに前記予約動画情報を保持することを特徴とする視聴動画検索システムにある。
【００１６】
かかる第３の態様では、複数の利用者を区別して適切な動画データを提供することができる。
【発明の効果】
【００１７】
本発明によれば、動画データを種々の観点（タイトル、出演者、あらすじ等）で検索して、利用者が視聴しようとする動画データを漏れなく的確に検索できる。そして、その検索結果である予約動画情報は、リモコン等の入力機器で簡易に利用できるので、視聴しようとする動画データをすばやく再生できる。
【発明を実施するための最良の形態】
【００１８】
以下、本発明を実施するための最良の形態について説明する。なお、本実施形態の説明は例示であり、本発明は以下の説明に限定されない。
【００１９】
本実施形態では、事業者が、映画やドラマなどの映像を符号化した動画データを、要求に応じて利用者に提供するビデオオンデマンドサービスを実現する場合に適用した視聴動画検索システムについて説明する。
【００２０】
図１は、本実施形態に係る視聴動画検索システムの概略構成図である。図示するように、事業者側施設１には、動画データを配信する動画配信サーバ１０と、動画データに関する情報である動画情報が記憶された動画データベース２０と、利用者が視聴を希望する動画データの予約を受け付けるための視聴予約サーバ２１と、利用者に関する情報である利用者情報が記憶された利用者情報データベース２２とが設置され、これらはＬＡＮ５１を介して相互にデータの送受信が可能に接続されている。
【００２１】
一方、利用者側施設２には、動画データを受信する受信装置の一例であるＳＴＢ（セットトップボックス）３０と、ＳＴＢ３０からの映像信号を画面に表示するテレビ３１と、テレビ３１に対して種々の操作を行うための入力手段の一例であるリモコン３２と、視聴しようとする動画を検索するための予約設定端末４０とが設置されている。ＳＴＢ３０と予約設定端末４０とはＬＡＮ５２に接続されている。
【００２２】
また、ＳＴＢ３０は、ＬＡＮ５２からルータ５３及びインターネット５０を経由して、視聴予約サーバ２１及び動画配信サーバ１０との間でデータの送受信が可能になっており、予約設定端末４０は、ＬＡＮ５２からルータ５３及びインターネット５０を経由して、視聴予約サーバ２１との間でデータの送受信が可能になっている。
【００２３】
動画配信サーバ１０は、動画データが記憶されたハードディスク等の記憶手段を備えた情報通信機器であり、記憶手段の動画データのうちＳＴＢ３０から要求された動画データを検索し、当該動画データをＳＴＢ３０に送信する機能を有している。なお、動画配信サーバ１０は、動画データの送信に先立って、送信先のＳＴＢ３０が視聴許可されたものであるか否かの認証を行い、視聴許可されていない者による不正な視聴を防止している。
【００２４】
ＳＴＢ３０は、利用者が視聴しようとする動画データを動画配信サーバ１０から受信して表示手段の一例であるテレビ３１に出力する装置である。詳細は後述するが、ＳＴＢ３０は、利用者が予め設定した予約動画情報を視聴予約サーバ２１から受信してテレビ３１に表示する。利用者がリモコン操作で特定の予約動画情報を選択すると、ＳＴＢ３０は、当該予約動画情報に対応する動画データを動画配信サーバ１０に要求し、当該動画データを再生するようになっている。
【００２５】
なお、リモコン３２は、少なくとも、テレビ３１に表示された予約動画情報から特定のものを選択するための選択ボタンが設けられ、選択ボタンを操作することで、テレビ３１に表示された特定の予約動画情報を選べるようになっている。
【００２６】
動画データベース２０は、動画データに関する情報である動画情報を保持するデータベースである。動画情報とは、動画データの内容に関する種々の属性情報からなる。属性情報とは、例えば映画の動画データならば、タイトル、あらすじ、出演者、監督、制作会社、製作年などの文字情報や、映画の或るシーンのスナップショット（画像データ）などである。
【００２７】
予約設定端末４０は、一般的なＣＰＵ、記憶装置、入出力装置を備える情報通信機器であり、入力装置を介して動画情報を検索するための検索条件が入力されるようになっている。検索条件としては、例えば、「タイトルに指定の文字列を含む」や「製作年が２０００年から２００５年の間である」などが挙げられる。このように動画情報の属性情報ごとに条件を指定することができる。もちろん、複数の属性情報に条件を設定し、これらの条件の論理積、論理和を検索条件としてもよい。
【００２８】
視聴予約サーバ２１は、一般的なＣＰＵ、記憶装置、入出力装置を備える情報通信機器である。視聴予約サーバ２１は、動画データベース２０に記憶された動画情報のうち、予約設定端末４０から受信した検索条件に該当するものを検索する機能を有している。例えば、視聴予約サーバ２１は、検索条件として「製作年が２０００年から２００５年の間である」を受信したとき、動画情報の製作年に係る属性情報が「２０００〜２００５」である動画情報を全て抽出する。
【００２９】
このような検索により得られた動画情報を予約動画情報という。視聴予約サーバ２１はその記憶装置に予約動画情報を別途保持する。もしくは、視聴予約サーバ２１は、予約動画情報のうち予約設定端末４０により指定されたものを記憶装置に別途保持する。いずれにせよ、予約設定端末４０で入力した検索条件の検索結果が予約動画情報として視聴予約サーバ２１に保持される。前記したように、予約動画情報は、ＳＴＢ３０に取得され、利用者が視聴しようとする動画を選択するために用いられる。
【００３０】
このように、予約設定端末４０と視聴予約サーバ２１との間で動画情報の検索を行う一方、前述したように、ＳＴＢ３０は視聴予約サーバ２１に接続してその検索結果を利用している。すなわち、ＳＴＢ３０から検索機能を分離したことになるので、予約設定端末４０と視聴予約サーバ２１とには検索機能を、ＳＴＢ３０には視聴機能をそれぞれ分担させたことになる。
【００３１】
なお、視聴予約サーバ２１が予約動画情報を保持する際には、利用者情報に関連付けて予約動画情報を保持してもよい。ここで、利用者情報とは、動画配信サーバの動画データを閲覧することが許可された利用者に関する情報をいう。例えば、利用者情報は氏名、年齢、住所等の他に、利用者を特定するための認証情報（ユーザ名、パスワード等）からなる。利用者情報は、利用者情報データベース２２に予め記憶されている。詳細は後述するが、予約動画情報を利用者情報に関連付けて保持することで、或る利用者が予約設定端末４０で入力した検索条件に該当する予約動画情報を、その利用者が利用するＳＴＢ３０でのみ利用することが可能になる。
【００３２】
図２及び図３は、本実施形態に係る視聴動画検索システムの処理のフローである。視聴動画検索システムでは、大きく分けて、予約設定端末４０と視聴予約サーバ２１とで動画データの視聴予約処理が行われ、ＳＴＢ３０と視聴予約サーバ２１と動画配信サーバ１０とで動画データの視聴処理が行われる。
【００３３】
まず、図２を用いて、視聴予約処理について説明する。まず、視聴予約サーバ２１は、予約設定端末４０に対して、利用者の認証を行う（ステップＳ１０）。例えば、予約設定端末からユーザ名とパスワードを取得し、これらの取得したユーザ名及びパスワードが、利用者情報データベースに予め格納された利用者情報に該当するか否かにより、利用者の特定を行う。利用者の特定により、視聴予約サーバ２１は、例えば「ＵＳＥＲ＿１」というユーザ名を有する利用者が予約設定端末４０を使用しているということを把握する。
【００３４】
次に、視聴予約サーバ２１は、検索条件を入力するための入力フォームの提示を行う（ステップＳ１１）。そして、予約設定端末４０は、入力フォームをディスプレイ等に表示し、利用者から検索条件がキーボード等を介して入力され、視聴予約サーバ２１に検索条件の送信を行う（ステップＳ１２）。
【００３５】
本実施形態では、予約設定端末４０には、ウェブブラウザがインストールされており、視聴予約サーバ２１にはウェブサーバがインストールされている。視聴予約サーバ２１から予約設定端末４０に対する情報は、ＨＴＭＬで記述されて送信され、予約設定端末４０から視聴予約サーバ２１に対する情報は、ウェブブラウザにより、ウェブサーバで解釈可能な形式で記述されて送信される。
【００３６】
ステップＳ１１〜Ｓ１２の具体例を示すと次のようになる。図４には、予約設定端末４０に表示された検索条件の入力フォームが例示されている。図示するように、画面上には、検索条件を入力するためのテキストボックス６０が表示され、テキストボックス６０に入力された検索条件を視聴予約サーバ２１に送信するためのボタン６１が表示されている。例えば、テキストボックス６０に入力した文字列は、ボタン６１をマウス等で選択すると視聴予約サーバ２１に送信され、動画情報の属性情報のうちタイトルを検索対象とする検索キーワードとして用いられる。その他、特に図示しないが、出演者名、あらすじ、監督名等を検索対象とする検索条件の入力フォームを表示させてもよい。
【００３７】
次に、図２に示すように、視聴予約サーバ２１は、予約設定端末４０から受信した検索条件に該当する動画情報の検索を行う（ステップＳ１３）。例えば、動画情報のタイトルを検索対象とする検索条件を受信したら、当該検索条件に該当する動画情報を動画データベース２０から抽出する。
【００３８】
例えば、表１に示す動画情報が動画データベース２０に格納され、検索条件が「タイトルに「α」を含む」であるとする。
【００３９】
【表１】
2010045669.tif 000003
【００４０】
表１の各行は一つの動画情報を表しており、各属性情報から構成されている。動画データＩＤは、当該動画情報に関する動画データを識別するＩＤである。視聴予約サーバ２１は、動画データベース２０にアクセスして、タイトルに「α」を含むものを検索する。その結果、動画データＩＤが「１０００」「１００１」である動画情報が得られる。この得られた動画情報が予約動画情報である。
【００４１】
次に、視聴予約サーバ２１は、予約設定端末４０に対して、予約動画情報の送信を行う（ステップＳ１４）。予約設定端末４０は、予約動画情報の表示をすると共に、視聴予約サーバ２１に対して、利用者により指定された予約動画情報の送信を行う（ステップＳ１５）。
【００４２】
ステップＳ１４〜Ｓ１５の具体例を示すと次のようになる。図５には、予約設定端末４０の画面に表示された予約動画情報が例示されている。図示するように、検索条件に該当した予約動画情報が画面上に２つ表示されている。また、２つ表示された予約動画情報の何れかをマウス等で選択すると、図６に示すように、当該予約動画情報の詳細（属性情報）が視聴予約サーバ２１から送信され、その詳細が表示されるようになっている。
【００４３】
利用者は、あらすじや出演者等の属性情報を見て、その動画の視聴を希望するならば、予約ボタン６２をマウス等で押す。予約ボタン６２を押すことにより、当該予約動画情報が指定されたこととなり、その旨を視聴予約サーバ２１に送信する。ここでは、図５に表示された２つの予約動画情報を指定したとする。つまり、利用者はタイトルが「α」「α―２」である動画を見ることを予約したということになる。
【００４４】
次に、視聴予約サーバ２１では、利用者により指定された予約動画情報をその利用者の利用者情報に関連付けて記憶する（ステップＳ１６）。表２に、利用者情報に関連付けられた予約動画情報を例示する。
【００４５】
【表２】
2010045669.tif 000004
【００４６】
表２の各行は、利用者情報に関連付けられた予約動画情報を表している。これにより、視聴予約サーバ２１は、ユーザ名が「ＵＳＥＲ＿１」である利用者は、動画データＩＤが「１０００」及び「１００１」である動画情報を視聴しようとしていることを把握することができる。
【００４７】
次に、図３を用いて視聴処理について説明する。まず、視聴予約サーバ２１は、ＳＴＢ３０に対して、利用者の認証を行う（ステップＳ２０）。例えば、ＳＴＢ３０からユーザ名とパスワードを取得し、これらの取得したユーザ名及びパスワードが、利用者情報データベースに予め格納された利用者情報に該当するか否かにより、利用者の特定を行う。利用者の特定により、視聴予約サーバ２１は、例えば「ＵＳＥＲ＿１」というユーザ名を有する利用者がＳＴＢ３０を使用しているということを把握する。
【００４８】
次に、視聴予約サーバ２１は、ＳＴＢ３０に対して、予約動画情報の送信を行う（ステップＳ２１）。このとき、予約動画情報としては、前記した認証の結果を用い、ＳＴＢ３０の利用者の利用者情報に関連付けられた予約動画情報を送信する。例えば、表２に示した予約動画情報からは、ユーザ名「ＵＳＥＲ＿１」に関連付けられた予約動画情報のみが送信され、ユーザ名「ＵＳＥＲ＿２」に関連付けられた予約動画情報は送信されない。すなわち、或る利用者が予約設定端末４０を用いて検索した結果である予約動画情報は、その利用者が利用するＳＴＢ３０のみに送信される。
【００４９】
次に、ＳＴＢ３０は、予約動画情報の表示を行う（ステップＳ２２）。すなわち、ＳＴＢ３０は、利用者がリモコン３２の操作を介して、予約動画情報を選択し得るように予約動画情報をテレビ３１に表示する。図７及び図８には、テレビ３１に表示された予約動画情報の表示の一態様が例示されている。
【００５０】
図７に示すように、テレビ３１にはＳＴＢ３０から動画データを選択するためのメニュー画面が表示されている。例えば、画面中部のメニュー６４には、従来のようなカテゴリ別の動画の選択肢が表示されている。このような選択肢として、例えば「新着から選ぶ」、「ランキングから選ぶ」、「ジャンルから選ぶ」、「おすすめから選ぶ」などがあり、これらの選択肢に分類された動画データのスナップショットである画像データ６３が画面上部に表示されている。また、画面の右下部には、予約動画情報を閲覧するための予約ボタン６５が表示されている。予約ボタン６５をリモコン操作で選択すると、図８に示すように、視聴予約サーバ２１から受信した予約動画情報の一覧が表示される。利用者は、この中から視聴したいものを選択することになる。
【００５１】
次に、図３に示すように、ＳＴＢ３０は、動画配信サーバ１０に対して、動画データの要求を行う（ステップＳ２３）。例えば、リモコン３２で選択された予約動画情報の属性情報のうち動画データＩＤを動画配信サーバ１０に送信する。この動画データＩＤを受信した動画配信サーバ１０は、ＳＴＢ３０に対し、当該動画データＩＤにより識別される動画データの送信を行う（ステップＳ２４）。そして、動画データを受信したＳＴＢ３０は、動画データの再生を行う（ステップＳ２５）。これにより、テレビ３１には動画データから映画やドラマが再生される。
【００５２】
以上に説明したように、視聴予約サーバ２１は、予約設定端末４０との間で、利用者からの検索条件に基づいて、視聴したい動画データに関する予約動画情報を保持する。一方、ＳＴＢ３０は、その検索結果である予約動画情報を利用者に提示し、利用者の希望の動画データを再生する。
【００５３】
一般に、予約設定端末４０及び視聴予約サーバ２１（情報通信機器）は、ＳＴＢ３０よりも高性能であり、またソフトウェアにより各種機能が実現されることから、種々の目的や観点に柔軟に対応した検索機能を構築し易い。また情報通信機器は、キーボードやマウスなど入力装置が充実していることから、検索条件の入力もし易い。
【００５４】
そこで、本発明では、予約設定端末４０及び視聴予約サーバ２１（情報通信機器）に、動画データを種々の観点（タイトル、出演者、あらすじ等）から検索しうる機能を持たせた。これにより、利用者は、タイトルや出演者など動画の種々の属性を対象として的確な検索を行うことができ、視聴しようとする動画データを漏れなく的確に検索できる。また、利用者は、キーボード、マウス等の機器を用いることができるので煩わしさを感じることなく検索条件の入力を行える。
【００５５】
一方、ＳＴＢ３０に、予約動画情報を利用するように構成したことから、リモコン３２によるシンプルな操作で予約動画情報を選択し、視聴しようとする動画データをすばやく再生することができる。
【図面の簡単な説明】
【００５６】
【図１】本実施形態に係る視聴動画検索システムの概略構成図である。
【図２】本実施形態に係る視聴動画検索システムの処理のフローである。
【図３】本実施形態に係る視聴動画検索システムの処理のフローである。
【図４】検索条件の入力フォームの一例を示す図である。
【図５】検索条件に該当した予約動画情報が予約設定端末に表示された画面の一例である。
【図６】予約動画情報の詳細及び予約動画情報を指定する際の画面の一例である。
【図７】テレビに表示された動画データの選択メニューの一例である。
【図８】テレビに表示された予約動画情報の選択メニューの一例である。
【符号の説明】
【００５７】
１            事業者側施設
２            利用者側施設
１０          動画配信サーバ
２０          動画データベース
２１          視聴予約サーバ
２２          利用者情報データベース
３０          ＳＴＢ
３１          テレビ
３２          リモコン
４０          予約設定端末
５０          インターネット
５１、５２    ＬＡＮ
５３          ルータ
【図２】
2010045669.tif 000005
【図３】
2010045669.tif 000006
【図８】
2010045669.tif 000007
【図１】
2010045669.tif 000008
【図４】
2010045669.tif 000009
【図５】
2010045669.tif 000010
【図６】
2010045669.tif 000011
【図７】
2010045669.tif 000012